(57)【要約】【課題】リテーナを閉じた際に流出する風が利用者に当接しないレジスタを提供する。【解決手段】フィン群を構成する各々のフィンが回動軸を中心に閉位置から開位置にまで回動してリテーナから流出する風の向きを調整するレジスタにおいて、互いに隣接するフィンのうち一方のフィンの端部である第１端部と他方のフィンの端部である第２端部が閉位置において対向するようにし、この第１端部と第２端部との間に形成される風向誘導部によって漏出風の向きを外方に誘導する。【選択図】図３
2005313744.tif 000002
【特許請求の範囲】
【請求項１】
略筒状に形成され筒内部が通風路を構成するリテーナと、略板状に形成され回動軸を持つ複数のフィンが該リテーナの筒内部に並設されてなるフィン群と、を持ち、各々の該フィンが該回動軸を中心に該リテーナの開口面積が小さくなる閉位置から開口面積が大きくなる開位置にまで回動して該リテーナから流出する風の向きを調整するレジスタであって、
互いに隣接する前記フィンのうち、一方のフィンの第１端部と他方のフィンの第２端部とが前記閉位置において互いに対向し、
該第１端部と該第２端部との間には前記閉位置において前記リテーナから流出する風の向きを外方に誘導する風向誘導部が形成されていることを特徴とするレジスタ。
【請求項２】
前記第１端部は前記フィンのうち前記閉位置において外方側に配置される端部であり、前記閉位置において外方側に向けて傾斜する第１誘導面を持つ請求項１記載のレジスタ。
【請求項３】
前記第１誘導面は、前記閉位置において外方側に６０度以上傾斜した角度で設けられている請求項２記載のレジスタ。
【請求項４】
前記第２端部のうち前記閉位置において外方と反対側の端面を構成する第２誘導面は、同じ前記風向誘導部を形成する前記第１誘導面と、前記閉位置において略平行となる角度で設けられている請求項２記載のレジスタ。
【請求項５】
前記第２端部のうち前記閉位置において外方と反対側の端面を構成する第２誘導面は、同じ前記風向誘導部を形成する前記第１誘導面と、前記閉位置において略平行となる角度以外の角度で設けられ、
前記第１誘導部は、さらに、前記閉位置において最外方側に配置される第３誘導面を持ち、
該第３誘導面は、前記閉位置において前記第２誘導面と平行になる部分の厚さ方向の長さが前記第２誘導面よりも短く設けられている請求項２記載のレジスタ。
【発明の詳細な説明】
【技術分野】
【０００１】
本発明は空調装置から供給された空気の風向を調整するためのレジスタに関する。
【背景技術】
【０００２】
空調装置の空気流れ下流側に配置され、空調装置から供給された空気の風向を調整するためのレジスタとしては、従来より種々のものが知られている。これらレジスタは、略筒状のリテーナと、リテーナの筒内部に設けられた複数のフィンとを持つものであり、各々のフィンを回動させてその角度を調整することで、風向を調整する部材である。
【０００３】
通常、レジスタには、略鉛直方向に延びる縦フィンが複数並設されてなる縦フィン群や、略水平方向に延びる横フィンが複数並設されてなる横フィン群などが設けられる。縦フィン群は縦フィンが左右に並設され、各々の縦フィンが回動軸を中心に回動することで風向を左右に調整する。また、横フィン群は、同じく横フィンが上下に並設され、各々の横フィンが回動軸を中心に回動することで風向を上下に調整する。
【０００４】
ここで、従来のレジスタとして、一方のフィン群を構成する各々のフィンを回動させることでリテーナの開口を開閉し、リテーナから外部に流出する風量を調整するものが知られている。
【０００５】
風量を調整する従来のレジスタを模式的に表す斜視図を図５に示し、図５に示される従来のレジスタを図５中平面Ａで切断した様子を模式的に表す断面図を図６に示す。
【０００６】
図５および図６に示される従来のレジスタ１００は、略筒状のリテーナ１０１と、リテーナ１０１の筒内部に左右に並設されている複数の縦フィン１０２からなる縦フィン群（図示せず）と、リテーナ１０１の筒内部に上下に並設されている複数の横フィン１０５からなる横フィン群１０６と、をもつ。また、リテーナ１０１の前面には、略枠状のベゼル部材１０７が取付されている。リテーナ１０１の後側には図示しないエアコン装置が取り付けされ、エアコン装置から吹き出した風はリテーナ１０１の筒内部を通ってベゼル部材１０７の枠内部を介して流出する。ベゼル部材１０７の下側には、リテーナ１０１の下方空間と連通する窓部１０８が設けられている。
【０００７】
縦フィン１０２および横フィン１０５は、長尺の略平板状に形成され、長尺方向の両端に回動軸を持つ。そして、各々の縦フィン１０２は上下に延びる回動軸１１０を中心に左右に回動し、各々の横フィン１０５は左右に延びる回動軸１１１を中心に上下に回動する。縦フィン群は通風路の上流側に設けられ、横フィン群１０６は通風路の下流側に設けられている。
【０００８】
各々の縦フィン１０２のうち上側の回動軸１１２は、リテーナ１０１の上壁１１３に挿通されて回動可能に枢支されている。また、各々の縦フィン１０２のうち下側の回動軸１１５は、リテーナ１０１の下壁１１６とベゼル部材１０７の下壁１１７との間隙に挿通されて回動可能に枢支されている。下側の回動軸１１５のうちリテーナ１０１の下壁１１６外方に通り抜けた突出端には、一旦後方に屈曲し、再度下方に屈曲する縦フィン側連結部１２０が設けられている。この縦フィン側連結部１２０は、略棒状の第１リンク板１２１に挿通されて回動可能に枢支されている。第１リンク板１２１はリテーナ１０１の外部下側に左右に延設され、その略中央部には、前方に延びる縦フィン側操作端１２５が設けられている。縦フィン側操作端１２５のうち、第１リンク板１２１と一体化されている側と反対側の端部は、ベゼル部材１０７の窓部１０８に挿通され、レジスタ１００の前側に表出している。
【０００９】
各々の縦フィン１０２は第１リンク板１２１によって連結されている。そして、縦フィン側操作端１２５を左右に動かすと、第１リンク板１２１は左右に動き、各々の縦フィン１０２に設けられている縦フィン側連結部１２０が左右に動くために、各々の縦フィン１０２は回動軸を中心に同期して回動する。
【００１０】
各々の横フィン１０５は、閉位置において下端側に配置される部分の右端側と左端側とに、左右に延びる回動軸１１１が設けられている。そして、左右の回動軸１１１がリテーナ１０１の側壁１２６に挿通されて回動可能に枢支されている。また、各々の横フィン１０５のうち、閉位置において上側に配置される部分の左端側には第１の横フィン側連結部１３０が設けられ、右端側には第２の横フィン側連結端部（図示せず）が設けられている。第１の横フィン側連結部１３０は、横フィン１０５の左端側から左方に延び、一旦後方に屈曲し、再度左方に延びる形状に形成されている。そして第２の横フィン１０５側連結部は、横フィン１０５の右端側から右方に延び、一旦後方に屈曲し、再度右方に延びる形状に形成されている。
【００１１】
各々の第１の横フィン側連結部１３０は、略棒状の第２リンク板（図示せず）に挿通されて回動可能に枢支されている。第２リンク板はリテーナ１０１の内部左側に上下に延設されている。また、各々の第２の横フィン１０５側連結部は、略棒状の第３リンク板（図示せず）に挿通されて回動可能に枢支されている。第３リンク板はリテーナ１０１の内部右側に上下に延設されている。
【００１２】
各々の横フィン１０５のうち略中央部に配置されている操作フィン１３１は、閉位置において下端側に配置される部分の左寄りの位置に、横フィン側操作端１３５が設けられている。この横フィン側操作端１３５は略円板状の形状を持ち、湾曲面をレジスタ１００前方に向けて操作フィン１３１と一体に形成されている。また、操作フィン１３１の下方に隣接する横フィン１０５は、横フィン側操作端１３５に対向する部分が切り欠かれた形状に形成され、横フィン１０５が回動した際に横フィン側操作端１３５と干渉しないようになっている。
【００１３】
各々の横フィン１０５は第２リンク板と第３リンク板とによって連結されている。そして、横フィン側操作端１３５を上下に動かすと、第２リンク板および第３リンク板は上下に動き、第１の横フィン側連結部１３０および第２の横フィン側連結部が上下に動くために、各々の横フィン１０５は回動軸を中心に同期して回動する。
【００１４】
ここで、このレジスタ１００では、各々の横フィン１０５は、閉位置において前面が略面一になるように配置されている。したがって、図５および図６に示すように各々の横フィン１０５を閉位置にまで回動させることでリテーナ１０１を閉じることができる。
【００１５】
ここに示される従来のレジスタ１００では、横フィン１０５を閉位置まで回動させることでリテーナ１０１を閉じ、リテーナ１０１から流出する空気を遮断したりできるために、例えば同一の空調装置に複数のレジスタが取付されている場合等に、所望するレジスタのリテーナ１０１のみを閉じて風を遮断することができる。
【００１６】
ところで、このような従来のレジスタ１００では、隣接する横フィン１０５同士は僅かに隙間をもって配置される。したがって、各々の横フィン１０５を閉位置に配置してリテーナ１０１を閉じる場合にも、リテーナ１０１内を流れる風は横フィン１０５同士の隙間から僅かに流出していた。
【００１７】
そして、各々の横フィン１０５は、リテーナ１０１を閉じる際に隣接する横フィン１０５同士が干渉し合うことを避ける目的で、閉位置において上端側に配置される部分１３６が下方に傾斜する形状に形成されている。このために、隣接する横フィン１０５同士の隙間から流出する風は、リテーナ１０１から前方に向けて略水平方向に流出していた。
【００１８】
ここで、一般に、レジスタ１００は利用者に空調装置から流れる風を供給するために利用者に近接した位置に配置される。このため、横フィン１０５同士の隙間から前方に向けて略水平方向に風が流出した場合には、流出した風は利用者の身体に当接して利用者に不快感を与える場合があった。
【００１９】
そこで、近年では、リテーナを閉じた際の風の流出を抑制するために、横フィン同士の隙間をなくす技術が開発されている（例えば、特許文献１）。
【００２０】
特許文献１に開示されているレジスタでは、隣接する横フィン同士は閉位置にまで回動した際に互いに圧接するようになっている。隣接する横フィン同士が互いに圧接する事で横フィン同士の隙間がなくなり風が遮断されるために、風が利用者の身体に当接して不快感を与える問題が回避される。
【００２１】
リテーナを閉じた際の風の流出を完全に遮断するためには各々の横フィンを高精度で組み付けて、各々の横フィンを閉位置にまで回動させる際の荷重を均一にする必要がある。しかし、各々の横フィンを、風の流出を完全に遮断できるほどに高精度に組み付けることは非常に困難であり、レジスタの製造コストが非常に高くなる問題があった。また、隣接する横フィン同士の隙間をなくして風を遮断することで、レジスタの他の部分から風が流出する場合があり、流出した風が利用者に当接する場合には、上述同様に利用者に不快感を与える場合等があった。
【特許文献１】特開２００４−３４７３４号公報
【発明の開示】
【発明が解決しようとする課題】
【００２２】
本発明は、リテーナを閉じた際に流出する風が利用者に当接しないレジスタを提供することを目的とする。
【課題を解決するための手段】
【００２３】
上記課題を解決する本発明のレジスタは、略筒状に形成され筒内部が通風路を構成するリテーナと、略板状に形成され回動軸を持つ複数のフィンがリテーナの筒内部に並設されてなるフィン群と、を持ち、各々のフィンが回動軸を中心にリテーナの開口面積が小さくなる閉位置から開口面積が大きくなる開位置にまで回動してリテーナから流出する風の向きを調整するレジスタであって、
互いに隣接する上記フィンのうち、一方のフィンの第１端部と他方のフィンの第２端部とが上記閉位置において互いに対向し、
第１端部と第２端部との間には上記閉位置において上記リテーナから流出する風の向きを外方に誘導する風向誘導部が形成されていることを特徴とする。
【００２４】
上記第１端部は上記フィンのうち上記閉位置において外方側に配置される端部であり、上記閉位置において外方側に向けて傾斜する第１誘導面を持つことが好ましい。
【００２５】
上記第１誘導面は、上記閉位置において外方側に６０度以上傾斜した角度で設けられていることが好ましい。
【００２６】
上記第２端部のうち前記閉位置において外方と反対側の端面を構成する第２誘導面は、同じ上記風向誘導部を形成する上記第１誘導面と、上記閉位置において略平行となる角度で設けられていることが好ましい。
【００２７】
上記第２端部のうち前記閉位置において外方と反対側の端面端面を構成する第２誘導面は、同じ上記風向誘導部を形成する上記第１誘導面と、上記閉位置において略平行となる角度以外の角度で設けられ、
上記第１誘導部は、さらに、上記閉位置において最外方側に配置される第３誘導面を持ち、
第３誘導面は、上記閉位置において上記第２誘導面と平行になる部分の厚さ方向の長さが上記第２誘導面よりも短く設けられていることが好ましい。
【発明の効果】
【００２８】
本発明のレジスタは、リテーナを閉じた際、すなわち各々のフィンを閉位置にまで回動させた際に、リテーナから流出する風の向きを外方に誘導する風向誘導部を持つ。ここでいう外方とは、リテーナを閉じた際にリテーナから流出した風（以下、漏出風と呼ぶ）が使用者の身体に当接しない方向を言う。本発明のレジスタを自動車のインストルメントパネルに配設する場合を例に挙げると、運転席の右側の位置に配設されたレジスタでは、風が上方から右方の間の方向に誘導されると、漏出風が運転席や助手席に着座している利用者に当接しない。したがって、このようなレジスタでは、上方から右方の間の方向が外方となる。また、助手席の左側の位置に配設されたレジスタでは、風が上方から左方の間の方向に誘導されると、漏出風が利用者に当接しない。したがって、このようなレジスタでは、上方から左方の間の方向が外方となる。さらに、運転席と助手席との間の位置に配設されたレジスタでは、風が上方に誘導されると漏出風が利用者に当接しない。したがって、このようなレジスタでは、上方が外方となる。なお、例えば、レジスタが利用者の足下に配設される場合などには、下方が外方となる場合もある。
【００２９】
本発明のレジスタにおいて、風向誘導部は、互いに隣接するフィン同士の隙間から構成される。したがって、外方となる方向は、フィンの回動方向に応じて適宜選択することができる。例えば、上述した従来のレジスタのように横フィンの回動によりリテーナを閉じる場合には、横フィンの回動により風の向きを上下に調整できるために、横フィン同士の隙間から構成される風向誘導部によって、漏出風の方向を上方に誘導することができる。また、縦フィンの回動によりリテーナを閉じる場合には、縦フィンの回動により風の向きを左右に調整できるために、縦フィン同士の隙間から構成される風向誘導部によって漏出風の向きを右方に誘導することができる。また、各々のフィンを斜め方向に並設する場合には、漏出風の向きを上方と右方との間や、上方と左方との間の方向に誘導しても良い。
【００３０】
本発明のレジスタでは、風向誘導部により漏出風の向きを外方に誘導するために、漏出風が利用者に当接することが回避される。
【００３１】
また、本発明のレジスタでは、横フィン同士を圧接させて漏出風を遮断するのではなく、漏出風の方向を外方、すなわち利用者に当接しない方向に誘導する。このため、上述した従来のレジスタのように各々のフィンを高精度で組み付ける必要はなく、低コストで製造することが可能になる。さらに、本発明のレジスタでは、漏出風を遮断しないために、レジスタの他の部分から風が流出することもなく、レジスタの他の部分から漏出した風により利用者に不快感を与えるおそれもない。
【００３２】
風向誘導部は、互いに隣接するフィンのうち、閉位置において対向する２端部である第１端部と第２端部との間に形成される。このうち、第１端部を一方のフィンの外方側の端部とし、この第１端部に閉位置において外方側に向けて傾斜する第１誘導面を設ける場合には、簡単な構成で漏出風を確実に外方に誘導することができる。
【００３３】
このとき、以下の（１）〜（３）の場合には、漏出風をさらに確実に外方に誘導することができる。
（１）第１誘導面を、閉位置において外方側に６０度以上傾斜した角度で設ける場合。
（２）第１端部とともに風向誘導部を構成する第２端部のうち、端面を構成する第２誘導面を、同じ風向誘導部を形成する第１誘導面と、閉位置において略平行となる角度で設ける場合。
（３）第２誘導面を、同じ風向誘導部を形成する第１誘導面と、閉位置において略平行となる角度以外の角度で設け、第１誘導部に閉位置において最外方側に配置される第３誘導面を設けた上で、第３誘導面のうち閉位置において第２誘導面と平行になる部分の厚さ方向の長さを第２誘導面よりも短く設ける場合。
【発明を実施するための最良の形態】
【００３４】
本発明のレジスタは、リテーナとフィン群とを持つ。本発明のレジスタは、フィン群を構成する各々のフィンが回動軸を中心に回動することでリテーナから流出する風の向きを調整し、各々のフィンが回動軸を中心に閉位置から開位置にまで回動することでリテーナから流出する風の風量を調整するものである。
【００３５】
本発明のレジスタには、リテーナとフィン群との他にも種々の部材を設てもよい。例えば、フィン群を構成する各々のフィンの回動を同期させるためのリンク部材および操作端や、各々のフィンを自動的に回動させるための駆動手段等に代表される既知のレジスタに配設される種々の部材を併設する事もできる。
【００３６】
フィン群は、上述したように複数のフィンが上下に並設され風の向きを上下に調整する横フィン群や、複数のフィンが左右に並設され風の向きを左右に調整する縦フィン群等の、既知の構成のものを用いればよい。また、２種以上のフィン群を併設しても良い。この場合、各々のフィン群は並設方向が略直交するように設けることで、風の向きを多種に調整することができる。
【００３７】
なお、２種以上のフィン群を併設する場合、開位置から閉位置にまで回動してリテーナを閉じる側のフィン群を、空気流れ方向の下流側に設けることが好ましい。リテーナの開閉が他方のフィン群に干渉されることを防止するためである。
【００３８】
本発明のレジスタは、各々のフィンが閉位置において略面一に配置されてリテーナの開口を閉じるもの（所謂フィンシャットレジスタ）であっても良いし、各々のフィンが閉位置にまで回動した際にリテーナの開口が縮小されるのみのものであっても良い。さらに、リテーナの開口を開閉するためのダンパ部材をフィン群よりも空気流れ方向の上流側の位置に設けても良い。この場合には、フィン群だけでなくダンパ部材によってもリテーナの開口を開閉することができる。
【実施例】
【００３９】
以下、本発明のレジスタを図面を基に説明する。
【００４０】
（実施例１）
本実施例のレジスタは、車両のインストルメントパネルのうち運転席と助手席との間の位置に配設されるものであり、横フィン群によってリテーナを開閉するものである。本実施例のレジスタを模式的に表す斜視図を図１に示し、本実施例のレジスタの図１中平面Ｂにおける断面を模式的に表す断面図を図２に示し、図２の要部拡大図を図３に示す。なお、図１に示される斜視図は、レジスタのうちベゼル部材の部分を前側に取り外した様子を表すとともに、リテーナの前側の部分を切り欠いた様子を表す。
【００４１】
本実施例のレジスタ１は、リテーナ２と、縦フィン群３と、横フィン群５と、ベゼル部材６と、をもつ。このうち、リテーナ２、縦フィン群３、ベゼル部材６は、図５および図６に示した従来のレジスタ１と同様の形状に形成されている。また、縦フィン群３を構成する各々の縦フィン８は、図５および図６に示したものと同じ縦フィン側連結部１０、第１リンク板１１、および、縦フィン側操作端１２によって、同期しつつ左右に回動するようになっている。縦フィン群３は通風路の上流側に設けられ、横フィン群５は通風路の下流側に設けられている。
【００４２】
横フィン群５を構成する各々の横フィン１５は、長尺の略平板状に形成されており、長尺方向の両端に回動軸１６を持つ。この回動軸１６は、リテーナ２の側壁に挿通されて回動可能に枢支されている。また、各々の横フィン１５は、図５および図６に示したものと同様に、第１の横フィン側連結部１７、第２の横フィン側連結端部（図示せず）、第２リンク板２０、第３リンク板（図示せず）、および横フィン側操作端２１によって、同期しつつ上下に回動するようになっている。
【００４３】
本実施例のレジスタ１では、横フィン群５を構成する各々の横フィン１５のうち、互いに隣接する横フィン１５同士の間に風向誘導部２５が形成される。詳しくは、図３に示すように、一方の横フィン１５のうち閉位置において外方側に配置される端部である第１端部２６と、他方の横フィン１５のうち閉位置において第１端部２６に対面する端部である第２端部２７との間に風向誘導部２５が形成される。
【００４４】
本実施例のレジスタ１では、第１端部２６は、閉位置において上方側に向けて傾斜する第１誘導面３０と、閉位置において最外方側に配置される第３誘導面３１とを持つ。このうち各々の第１誘導面３０は、閉位置において、水平方向にから上方に６０度傾斜した角度で設けられている。なお、本実施例のレジスタ１では、各々の横フィン１５は、２つの回動軸１６を結ぶ直線が略水平方向に延びるように配置されている。
【００４５】
第２端部２７のうち、閉位置において外方と反対側の端面、すなわち、下方側の端面を構成する第２誘導面４０は略水平となる角度で設けられている。従って、本実施例では第１誘導面３０と第２誘導面４０とは互いに交差する方向に配置されている。
【００４６】
第３誘導面３１のうち、閉位置において第２誘導面４０と平行になる部分は、その厚さ方向の長さａが第２誘導面４０の厚さ方向の長さｂよりも短く設けられている。また、第３誘導面３１と第２誘導面４０との距離は、閉位置において約０．５ｍｍになるように設けられている。
【００４７】
本実施例のレジスタ１では、横フィン群５を閉位置にまで回動させた際にも、図示しない空調装置からリテーナ２の通風路に供給された風は、縦フィン８同士の間隙をぬって通風路下流側に進み、横フィン１５同士の間隙である風向誘導部２５を通ってリテーナ２前方に流出する。
【００４８】
ここで、第１端部２６の第１誘導面３０が上方に傾斜して設けられているために、風向誘導部２５に到達した風は、先ず、第１誘導面３０に沿って上方に誘導される。
【００４９】
また、第３誘導面３１のうち閉位置において第２誘導面４０と平行になる部分の厚さ方向の長さａが、第２誘導面４０の厚さ方向の長さｂよりも短く設けられていることから、第２誘導面４０と第３誘導面３１との間を風が通過する際には、各々の第２誘導部よりも前方の空間ｃには負圧が生じる。したがって、第２誘導面４０と第３誘導面３１との間を通過した風は、この負圧によってさらに上方に誘導される。
【００５０】
これらのことにより、本実施例のレジスタ１ではリテーナ２から流出する風の向きが風向誘導部２５により確実に上方に誘導されるために、漏出風が利用者に当接することが回避され、利用者に不快感を与えることはない。さらに、本実施例のレジスタ１は、漏出風を遮断するのではなく、漏出風の向きを誘導することで漏出風の利用者への当接をなくすものであるために、各々のフィンを高精度で組み付ける必要等がなくなり、低コストで製造することが可能になる。
【００５１】
また、本実施例のレジスタ１では、風向誘導部２５から漏出風が流出するために、レジスタ１の他の部分から風が流出することが回避され、レジスタ１の他の部分から漏出した風が利用者に不快感を与えることもない。
【００５２】
また、本実施例のレジスタ１では、漏出風は風向誘導部２５によって上方に誘導されるために、例えば、横フィン側操作端２１と、これに隣接する横フィン１５との間隙などから風が流出した場合にも、流出した風は漏出風に巻き込まれて上方に誘導される。したがって、この場合にも、利用者に風が当接することはなく、利用者に不快感を与えることはない。なお、横フィン側操作端２１と、これに隣接する横フィン１５との間隙を小さく設けることで、この間隙から流出する風の量を小さな量にでき、流出した風が利用者に当接する事をより確実に防止することができる。本実施例では、横フィン側操作端２１と、これに隣接する横フィン１５との閉位置における間隙は、０．２５ｍｍ程度の幅（風向誘導部の約半分の幅）である。なお、この間隙の幅を小さく設ける程、間隙から流出した風を確実に上方に誘導することができる。この間隙、すなわち、風向誘導部以外の間隙の幅は、風向誘導部の幅よりも小さくもうけられることが好ましく、風向誘導部の幅の半分以下の幅に設けられることが望ましい。
【００５３】
さらに、横フィン側操作端２１を外方（上方）寄りに設け、横フィン側操作端２１と、これに隣接する横フィン１５との閉位置における間隙を、外方（上方）寄りの位置に設けることで、横フィン側操作端２１と、これに隣接する横フィン１５との間隙から流出した風を漏出風によってより確実に上方に誘導することができる。
【００５４】
本実施例のレジスタ１では、第１誘導面３０は閉位置において上方側に６０度傾斜した角度で設けられているが、第１誘導面３０が閉位置において上方側に少しでも傾斜していれば、漏出風を上方に誘導する効果はある。そして第１誘導面３０の傾斜角度が大きいほど漏出風をより上方に誘導することができる。
【００５５】
なお、本実施例のレジスタ１では上方が外方となるために、風向誘導部２５を横フィン１５同士の間に設けるとともに第１誘導面３０が閉位置において上方に傾斜するように設けている。しかし、下方や左方、右方等の他の方向が外方となる場合等には、風向誘導部２５を横フィン１５以外のフィン同士の間に設けることもできるし、第１誘導面３０が傾斜する向きを他の向きにすることもできる。
【００５６】
例えば外方が下方になる場合には、風向誘導部２５を横フィン１５同士の間に設けるとともに第１誘導面３０を閉位置において下方に傾斜する形状にすればよい。また、外方が右方になる場合には、風向誘導部２５を縦フィン８同士の間に設けるとともに第１誘導面３０を閉位置において右方に傾斜する形状にすればよい。さらに、外方が左方になる場合には、風向誘導部２５を縦フィン８同士の間に設けるとともに第１誘導面３０を閉位置において左方に傾斜する形状にすればよい。何れの場合にも、第１誘導面３０は、外方側に６０度以上傾斜した角度となることが好ましい。
【００５７】
本実施例のレジスタ１では、第２誘導面４０は、略水平となる角度で設けられている。この第２誘導面４０は、閉位置において略水平となる角度以上の角度、すなわち、略水平となる角度よりも上方に０°以上傾斜する角度で設ければ、漏出風をより確実に上方に誘導することができる。風向誘導部２５を、縦フィン８等の横フィン１５以外のフィンに設ける場合や、外方が下方や左方や右方等の他の方向になる場合も、同様に、第２誘導面４０は、外方となる方向に０度以上で傾斜することが好ましい。
【００５８】
さらに、図４に示すように、第２誘導面４０を、この第２誘導面４０と同じ風向誘導部２５を形成する第１誘導面３０と、閉位置において略平行となる角度で設けることもできる。この場合には、第１誘導面３０と第２誘導面４０との隙間である風向誘導部２５は、上方に向かって傾斜するために、風は風向誘導部２５の形状に沿って上方に誘導される。このため、この場合にも漏出風を確実に外方に誘導することができる。
【図面の簡単な説明】
【００５９】
【図１】本発明の実施例のレジスタを模式的に表す斜視図である。
【図２】本発明の実施例のレジスタの図１中平面Ｂにおける断面を模式的に表す断面図である。
【図３】図２の要部拡大図である。
【図４】本発明のレジスタにおける風向誘導部の他の形状を模式的に表す図である。
【図５】従来のレジスタを模式的に表す断面図である。
【図６】従来のレジスタの図５中平面Ａにおける断面を模式的に表す断面図である。
【符号の説明】
【００６０】
１：レジスタ  ２：リテーナ  ３：縦フィン群  ５：横フィン群  ８：縦フィン  １５：横フィン  １６：横フィンの回動軸  ２５：風向誘導部  ２６：第１端部  ２７：第２端部  ３０：第１誘導面  ３１：第３誘導面  ４０：第２誘導面
１００：レジスタ  １０１：リテーナ  １０２：縦フィン  １０５：横フィン  １０６：横フィン群  １１０：縦フィンの回動軸  １１１：横フィンの回動軸
【図１】
2005313744.tif 000003
【図２】
2005313744.tif 000004
【図３】
2005313744.tif 000005
【図４】
2005313744.tif 000006
【図５】
2005313744.tif 000007
【図６】
2005313744.tif 000008